(57)【要約】【課題】フード付衣料を洗濯して干す際に使用する、フード付衣料ハンガーを提供する。【解決手段】ハンガー本体２において、フード付衣料のフード部分を挟持する構造のフードクリップ３を成型加工したフード付衣料ハンガー１である。フードクリップ３が弾性力で撓む構造であるため、服地を差し込むだけで挟持することができる。フード付衣料を洗濯して干す際に本フード付衣料ハンガー１を使用すると、ハンガー本体２がフード付衣料の身頃部分を支え、フードクリップ３がフードの前面開口縁を挟持することによって、フード付衣料のフード部分が上に持ち上げられ、風通しが良くなり、フード部分及びその周辺の乾きが早くなる。【選択図】  図１
2004275346.tif 000002
【特許請求の範囲】
【請求項１】
ハンガー本体において、フード付衣料のフード部分を挟持する構造のフードクリップを成型加工したことを特徴とした、フード付衣料用ハンガー。
【請求項２】
主となるハンガーがパラソル型ハンガーであることを特徴とした、請求項１記載のフード付衣料用ハンガー。
【請求項３】
主となるハンガーが、複数個のハンガーを連ねて成る多連式ハンガーであることを特徴とした、請求項１記載のフード付衣料用ハンガー。
【請求項４】
主となるハンガーが、複数のハンガーを吊るすことのできるハンガー吊り具であることを特徴とした、請求項１記載のフード付衣料用ハンガー。
【発明の詳細な説明】
【０００１】
【発明の属する技術分野】
本発明は、フード付衣料を洗濯して干す際に用いられる、フード付衣料用ハンガーに関する。
【０００２】
【従来の技術】
従来のフード付衣料用ハンガーとしては、通常のハンガーと組み合わせて使用する構成の、フード部分のみを掛けるフード部分用ハンガーが市場には存在する。
また、フードを掛けるための逆Ｕ字状の突出部を備えたハンガーもある。（例えば、特許文献１参照。）。
また、複雑な構造の多機能なハンガーもある。（例えば、特許文献２参照。）。
【０００３】
【特許文献１】
特開２０００−１５３０９５号公報
【特許文献２】
特開２００２−２６２９８５号公報
【０００４】
【発明が解決しようとする課題】
フード付衣料を洗濯して干す際に、通常のハンガーを使用すると、フード付衣料のフードの部分が後ろに垂れ下がり、後ろ身頃に密着した状態になるため、フード付衣料のフード部分及びフード部分が接する部分の乾きが遅いという問題点があった。
【０００５】
通常のハンガーと組み合わせて使用する構成の、フード部分のみを掛けるフード部分用ハンガーが市場には存在するが、１着のフード付衣料を干すために合計２個のハンガーが必要であり、非経済的である。また、特許文献１及び特許文献２のハンガーは構造が複雑である。
【０００６】
本発明は、このような従来の問題を解決するためのものであり、洗濯後のフード付衣料を、迅速に干すことができるとともに、フード部分及びその周辺の乾燥を助けることができ、しかも、容易、安価に短時間で大量生産が可能なフード付衣料用ハンガーを提供する。
【０００７】
【課題を解決するための手段】
請求項１記載のフード付衣料用ハンガーは、ハンガー本体において、フード付衣料のフード部分を挟持する構造のフードクリップを成型加工したことを特徴としている。
【０００８】
上記フード付衣料用ハンガーにおいては、フードクリップが弾性力で撓む構造であるため、服地を差し込むだけで挟持することができる。フード付衣料を洗濯して干す際に本フード付衣料用ハンガーを使用すると、ハンガー本体がフード付衣料の身頃部分を支え、フードクリップがフードの前面開口縁を挟持することによって、フード付衣料のフード部分が上に持ち上げられ、風通しが良くなり、フード部分及びフード部分が接する部分の乾きが早くなる。
【０００９】
また、フード付衣料用ハンガー１個で、１着のフード付衣料の身頃及びフード部分を干すことが出来る構成であるため、その他のハンガーと組み合わせる手間がなく迅速に干すことができ、しかも、その他のハンガー、洗濯バサミ等を必要としないため経済的である。
【００１０】
本発明におけるフードクリップが、前後に撓む構造であるため、フードの前面開口縁を差し込むだけで簡単に固定することができ、短時間で干すことが可能である。
【００１１】
請求項２記載のフード付衣料用ハンガーは、主となるハンガーがパラソル型ハンガーであることを特徴としている。
【００１２】
上記フード付衣料用ハンガーにおいては、アーム部分をフード付衣料の袖部分に通して使用することによって、フード付衣料のフード部分とともに袖部分の乾燥を助ける利点がある。さらに、複数個のフードクリップを成型加工することによって、複数着のフード付衣料を干すことが可能である。
【００１３】
請求項３記載のフード付衣料用ハンガーは、主となるハンガーが、複数個のハンガーを連ねて成る多連式ハンガーであることを特徴としている。
【００１４】
上記フード付衣料用ハンガーにおいては、フード付衣料とともに複数着の衣料を干すことができ、竿やロープがない場合においてもフックを掛ける場所があれば一度に複数着のフード付衣料及び衣料を乾かすことが可能である。
【００１５】
請求項４記載のフード付衣料用ハンガーは、主となるハンガーが、複数のハンガーを吊るすことのできるハンガー吊り具であることを特徴としている。
【００１６】
上記フード付衣料用ハンガーにおいては、別にハンガーを用意する構成ではあるが、従来のハンガーと組み合わせることによって、本フード付衣料用ハンガー１個で複数着のフード付衣料を干すことができる。
【００１７】
本発明におけるフードクリップが、フードの無い衣料を干すことを妨げない構造であるため、フード付衣料ハンガーであっても、フードの無い衣料や様々な形状の衣料に対応することが可能である。
【００１８】
本発明のフード付衣料用ハンガーが、従来のハンガーにおいて適切な部分にフードクリップを成型加工した簡単な構造であるため、製造方法も容易であり、安価に短時間で大量生産が可能である
【００１９】
【発明の実施の形態】
発明の実施の形態を実施例にもとづき図面を参照して説明する。
【００２０】
第一の実施例では、請求項１記載のフード付衣料用ハンガー１が図１に示される。ハンガー本体２は、基本的には従来のハンガーのように、水平杆４、肩掛け部５、フック部６、支持部７から成る。合成樹脂等のプラスチックを素材とした該ハンガーの支持部７において、弾性力で服地を挟持する構造のフードクリップ３を一体に成型加工する。支持部７を従来のハンガーよりも長い構成にし、フードクリップ３を上方に設けることによって、フードを高く持ち上げることができる。
【００２１】
第一の実施例に係るフード付衣料用ハンガーの使用方法が図２に示される。従来のハンガーのように肩掛け部５をフード付衣料１７の身頃に通した後、フードクリップ３にフードの前面開口縁１８を差し込み挟持する。このようにすると、フードが立ち上がり、後ろ身頃に接することなく保持される。この状態でフック６を物干し竿に掛ける。
【００２２】
第二の実施例では、請求項１記載のフード付衣料用ハンガーにおける別の形態が図３に示される。なお、以後、第一の実施例と同様の構成をとるものについては同じ記号を付して説明を省略する。本実施例においてはフック部６にフードクリップ３が成型加工されている。フック部６が肩掛け部５との結合部８を中心に回転する構造であるため、使用の際、フードクリップ３で挟持したフード部分が捩れることがない。
【００２３】
本発明におけるフードクリップ３の構造が図４に示される。フードクリップ３はプラスチックを素材とするハンガー本体２と一体に成型加工されているので、若干前後に撓むことから、フードクリップ３とハンガー本体２との間に隙間が空く。この隙間にフードの前面開口縁１８を差し込むことで挟持し、少々の風が吹いても後ろ身頃に垂れ下がることがない。
【００２４】
第三の実施例では、請求項２記載のフード付衣料用ハンガー１が図５に示される。パラソルハンガーは、基本的には従来のパラソルハンガーのように、フック部６、支柱部１０、アーム部９から成る。合成樹脂等のプラスチックを素材とした該パラソルハンガーの支柱部１０において、フードクリップ３を一体に成型加工する。アーム部９を通常のパラソルハンガーよりも長い構成にすることによって、フード付衣料の袖１９を伸ばした状態で干すことが可能である。所望数のフードクリップ３を成型加工する。
【００２５】
第三の実施例に係るフード付衣料用ハンガー１の使用方法が図６に示される。アーム部９をフード付衣料の袖１９に各々１本ずつ通し、フードクリップ３にフードの前面開口縁１８を差し込む。この状態でフック６を物干し竿に掛ける。
【００２６】
第四の実施例では、請求項３記載のフード付衣料用ハンガー１が図７に示される。複数個のハンガーを連ねてなる多連式ハンガー１１のフレーム部１２において、合成樹脂等のプラスチックを素材としたフードクリップ３を一体に成型加工する。
【００２７】
第四の実施例に係るフード付衣料用ハンガー１の使用方法が図８に示される。多連式ハンガー１１の両端のハンガー１３がフード付衣料用となっている。ハンガーをフード付衣料１７の身頃に通した後、フードクリップ３にフードの前面開口縁１８を差し込み挟持する。フード付衣料用以外のハンガーには、フードのない衣料、タオル等、その他の洗濯物を干すと良い。均等な間隔をおいて干すことができ、風が吹いても洗濯物同士がくっつくことが無い。この状態でフック６を物干し竿に掛ける。
【００２８】
第五の実施例では、請求項４記載のフード付衣料用ハンガー１が図９に示される。フック部６、ハンガー掛部１５を有するハンガー吊り具１４においてフードクリップ３を一体に成型加工する。
【００２９】
第五の実施例に係るフード付衣料用ハンガー１の使用方法が図１０に示される。ハンガー掛部１５にその他のハンガー１６を掛け、該ハンガーをフード付衣料１７の身頃に通した後、フードクリップ３にフードの前面開口縁１８を差し込み挟持する。この状態でフック６を物干し竿に掛ける。手持ちのハンガーを組み合わせて使用することによって、本フード付衣料用ハンガー１個で複数着のフード付衣料１７を干すことができる。
【００３０】
なお、フード付衣料用ハンガーの素材としては、プラスチック以外であっても、例えば被膜鉄線やアルミ、スチールのような金属であっても、フードクリップが撓み、服地を挟持する形状に成型加工が可能なものであればよく、適宜選択するものとする。
【００３１】
なお、本発明は上述した実施例に限定されるものでなく、本発明の要旨を変更しない範囲内で変形実施できる構成を含む。
【００３２】
以上詳述したように、本発明のフード付衣料用ハンガーは簡単な構造にもかかわらず、フード付衣料を洗濯して干す際のハンガーとして最適であるので、その利用価値は高く、製造コスト的にも十分市場に対応することができる誠に優れた発明である。
【発明の効果】
【００３３】
請求項１記載のフード付衣料用ハンガーにおいては、洋服ダンス等にフード付衣料を収納する際に使用すれば、フード部分が嵩張らず、省スペースで収納することができる。
【００３４】
上述したように、本発明はフード付衣料を洗濯する際に有効なものであり、本発明によって、フード付衣料を洗濯する際の煩わしさから開放される。
【００３５】
以上説明したように、本発明によって、従来にはない、フード付衣料を洗濯する際に最適なフード付衣料用ハンガーを提供することができる。
【図面の簡単な説明】
【図１】第一の実施例を示す斜視図である。
【図２】第一の実施例の使用方法を示す正面図である。
【図３】第二の実施例を示す斜視図である。
【図４】本発明におけるフードクリップの側面図である。
【図５】第三の実施例を示す斜視図である。
【図６】第三の実施例の使用方法を示す斜視図である。
【図７】第四の実施例を示す斜視図である。
【図８】第四の実施例の使用方法を示す斜視図である。
【図９】第五の実施例を示す斜視図である。
【図１０】第五の実施例の使用方法を示す斜視図である。
【符号の説明】
１  フード付衣料用ハンガー
２  ハンガー本体
３  フードクリップ
４  水平杆
５  肩掛け部
６  フック部
７  支持部
８  結合部
９  アーム部
１０  支柱部
１１  多連式ハンガー
１２  フレーム
１３  両端のハンガー
１４  ハンガー吊り具
１５  ハンガー掛部
１６  その他のハンガー
１７  フード付衣料
１８  フードの前面開口縁
１９  フード付衣料の袖
【図１】
2004275346.tif 000003
【図２】
2004275346.tif 000004
【図３】
2004275346.tif 000005
【図４】
2004275346.tif 000006
【図５】
2004275346.tif 000007
【図６】
2004275346.tif 000008
【図７】
2004275346.tif 000009
【図８】
2004275346.tif 000010
【図９】
2004275346.tif 000011
【図１０】
2004275346.tif 000012